(57)【要約】 【課題】  操作性に優れた情報処理装置を提供する。【解決手段】  キーボード２３０上のＣｔｒｌキーを押しながらマウス２４０の左クリックにより、モード認識部２２で複数マーク指定モードであることを認識し、この複数マーク指定モードにおいて表示制御部２１で表示画面２２０ａ上に表示されているサムネイル画像のうちのマウス２４０により指定されたサムネイル画像に相当する小画像を、表示画面２２０ａ上のマウスポインタ近傍に並べて表示するとともにそのマウスポインタの移動に伴って移動する。【選択図】  図２
2007183716.tif 000002
【特許請求の範囲】
【請求項１】
表示画面と、該表示画面上のカーソルを該表示画面上の任意の点に移動させて該任意の点を指定するポインティングデバイスとを備え、該表示画面上にファイルに対応したマークを複数表示して該ポインティングデバイスにより指定された点に表示されていたマークに対応するファイルを処理する情報処理装置において、
前記表示画面上に表示されている複数のマークのうちの１つのマークを指定する単一マーク指定モードと、該複数のマークのうちの複数のマークを指定する複数マーク指定モードとを有し、
前記複数マーク指定モードにおいて前記表示画面上に表示されているマークのうちの前記ポインティングデバイスにより指定されたマークに相当するマークを、前記表示画面上のカーソル近傍に並べて表示させるとともに該カーソルの移動に伴って移動させる表示制御部を備えたことを特徴とする情報処理装置。
【請求項２】
前記ポインティングデバイスがマウスであって、さらにキーボードを備え、前記表示画面上のマークを、前記マウスの左クリックで指定することによって前記単一マーク指定モードによるマークの指定であることを認識するとともに、前記キーボード上の特定のキーを押しながら前記マウスの左クリックで指定することによって、前記複数マーク指定モードによるマークの指定であることを認識するモード認識部を備えたことを特徴とする請求項１記載の情報処理装置。
【請求項３】
前記ポインティングデバイスがマウスであって、前記単一マーク指定モードにあるときの、該マウスの右クリックにより、前記複数マーク指定モードへの切り替えを認識するモード認識部を備えたことを特徴とする請求項１記載の情報処理装置。
【発明の詳細な説明】
【技術分野】
【０００１】
本発明は、表示画面と、その表示画面上のカーソルをその表示画面上の任意の点に移動させてその任意の点を指定するポインティングデバイスとを備え、その表示画面上にファイルに対応したマークを複数表示してそのポインティングデバイスにより指定された点に表示されていたマークに対応するファイルを処理する情報処理装置に関する。
【背景技術】
【０００２】
上述した情報処理装置の一つであるパーソナルコンピュータにおいて、画像ファイルに対応したサムネイル画像や各種のアイコン等のマークを表示画面に一覧表示しておき、一覧表示されたマークの中から所望のマークを１つだけ、マウスの左クリックで指定して選択するということが行なわれている。また、表示画面上に一覧表示されたマークの中から所望のマークを複数選択するにあたり、それら複数のマークが連続して表示されている場合はマウスを左クリックした状態でマウスポインタをドラッグしてそれら複数のマークを取り囲むようにマウスを操作して選択するということが行なわれている。さらに、複数のマークが離散的に表示されている場合はキーボード上のＣｔｒｌキーを押しながらマウスの左クリックで次々に指定することにより、それら離散的に表示されている複数のマークを選択するということも行なわれている。
【０００３】
ここで、複数選択モードに設定するための選択キーを設け、その選択キーを押して複数選択モードに設定してカーソルを移動することにより、その移動したカーソルが通過したマーク全てを選択する技術が提案されている（特許文献１参照）。この技術によれば、複数のマークを容易に選択することができ、従って操作性を高めることができる。
【特許文献１】特開２００１−２３１０１４号公報
【発明の開示】
【発明が解決しようとする課題】
【０００４】
従来では、上述したように、複数のマークが連続して表示されている場合は、それら複数のマークを取り囲むようにマウスを操作して選択したり、あるいは複数のマークが離散的に表示されている場合はキーボード上のＣｔｒｌキーを押しながらマウスの左クリックで離散的に表示されているマークを次々に選択するということが行なわれている。
【０００５】
しかし、表示画面上に表示されているマークの数が多いと、選択済みのマークがスクロールされて表示画面上から見えない状態が発生する。このような状態では、どのマークを選択していたのかが分からなくなったり、あるいは表示画面上の、マーク以外の部分をうっかりクリックしてしまうと、今まで選択されていたマークが、最初の状態（選択されていない状態）に戻ってしまうという不都合が生じる。
【０００６】
また、上述した特許文献１に提案された、複数選択モードに設定してカーソルを移動することにより所望のマークを選択する技術においても、マークの数が多いと、やはり選択済みのマークがスクロールされて表示画面上から見えない状態が発生するという問題がある。
【０００７】
従って、表示画面上にファイルに対応したマークを複数表示し、表示されたマークをマウス等のポインティングデバイスで指定して選択するにあたり、操作性が悪いという問題がある。
【０００８】
本発明は、上記事情に鑑み、操作性に優れた情報処理装置を提供することを目的とする。
【課題を解決するための手段】
【０００９】
上記目的を達成する本発明の情報処理装置は、表示画面と、その表示画面上のカーソルをその表示画面上の任意の点に移動させてその任意の点を指定するポインティングデバイスとを備え、その表示画面上にファイルに対応したマークを複数表示してそのポインティングデバイスにより指定された点に表示されていたマークに対応するファイルを処理する情報処理装置において、
上記表示画面上に表示されている複数のマークのうちの１つのマークを指定する単一マーク指定モードと、それら複数のマークのうちの複数のマークを指定する複数マーク指定モードとを有し、
上記複数マーク指定モードにおいて上記表示画面上に表示されているマークのうちの上記ポインティングデバイスにより指定されたマークに相当するマークを、上記表示画面上のカーソル近傍に並べて表示させるとともにそのカーソルの移動に伴って移動させる表示制御部を備えたことを特徴とする。
【００１０】
本発明の情報処理装置は、複数のマークを指定する複数マーク指定モードを有し、その複数マーク指定モードにおいて、表示画面上に表示されているマークのうちのポインティングデバイスにより指定されたマークに相当するマークを、上記表示画面上のカーソル近傍に並べて表示させるとともにそのカーソルの移動に伴って移動させるものである。このため、表示画面をスクロールした結果、選択されたサムネイル画像やアイコン等のマークが表示画面外に消え去ってしまい表示されない状態になった場合であっても、表示画面上のカーソル近傍に、指定されたマークに相当するマークが並べて表示される。従って、どのマークを選択していたのかが分からなくなったり、あるいは表示画面上の、マーク以外の部分をうっかりクリックしてしまい、今まで選択されていたマークが、選択されていない状態に戻ってしまうような場合であっても、カーソル近傍に並べて表示されているマークで確認することができる。従って、操作性に優れた情報処理装置が提供される。
【００１１】
ここで、上記ポインティングデバイスがマウスであって、さらにキーボードを備え、上記表示画面上のマークを、上記マウスの左クリックで指定することによって上記単一マーク指定モードによるマークの指定であることを認識するとともに、上記キーボード上の特定のキーを押しながら上記マウスの左クリックで指定することによって、上記複数マーク指定モードによるマークの指定であることを認識するモード認識部を備えたものであることが好ましい。
【００１２】
このようにすると、情報処理装置の一つであるパーソナルコンピュータにおいて行なわれている一般的な操作である、キーボード上のＣｔｒｌキーを押しながらマウスの左クリックの操作で、複数マーク指定モードを指定することができる。
【００１３】
また、上記ポインティングデバイスがマウスであって、上記単一マーク指定モードにあるときの、そのマウスの右クリックにより、上記複数マーク指定モードへの切り替えを認識するモード認識部を備えたものであることも好ましい態様である。
【００１４】
このようにすると、マウスの右クリックにより複数マーク指定モードに切り替えることができるため、さらに操作性を高めることができる。
【発明の効果】
【００１５】
本発明によれば、操作性に優れた情報処理装置を提供することができる。
【発明を実施するための最良の形態】
【００１６】
以下、本発明の実施形態について説明する。
【００１７】
図１は、本発明の情報処理装置の第１実施形態であるパーソナルコンピュータがＵＳＢケーブルでデジタルカメラに接続される様子を示す図である。
【００１８】
図１には、撮影装置としてのデジタルカメラ１が示されている。このデジタルカメラ１の詳細については後述するが、このデジタルカメラ１には、ＵＳＢケーブル３００のＵＳＢコネクタ３０１が接続されるＵＳＢ接続部１７０が備えられている。
【００１９】
また、図１には、ＵＳＢケーブル３００のＵＳＢコネクタ３０２と接続されるＵＳＢ接続部２１４を有し、その接続部２１４へのデジタルカメラ１の、ＵＳＢコネクタ３０２による接続を受け、さらに所定の操作によりデジタルカメラ１から画像データを取り込むパーソナルコンピュータ２が示されている。このパーソナルコンピュータ２は、本体部２１０と、表示画面２２０ａを備えた画像表示装置２２０と、キーボード２３０と、マウス２４０（本発明にいうポインティングデバイスの一例に相当）とを有する。本体部２１０には、詳細は後述するが、ＣＰＵ（中央処理装置）、主メモリ（ランダムアクセスメモリ）、ハードディスク、ＵＳＢ通信装置、表示制御部、モード認識部等が内蔵されている。また、この本体部２１０は、ＣＤ−ＲＯＭが装填されるＣＤ−ＲＯＭ装填口２１１と、フレキシブルディスクが装填されるフレキシブルディスク装填口２１２を有しており、それらの内部には、それらの装填口２１１，２１２から装填されたＣＤ−ＲＯＭやフレキシブルディスクをドライブしてアクセスするＣＤ−ＲＯＭドライブやフレキシブルディスクドライブが内蔵されている。さらに、この本体部２１０は、電源スイッチ２１３を有する。
【００２０】
図２は、図１に示すデジタルカメラおよびパーソナルコンピュータ双方の概略回路ブロックを示す図である。
【００２１】
図２に示すデジタルカメラ１には、ＣＰＵ１００、画像入力装置１１０、キー入力装置１２０、メモリ１３０、液晶表示装置１４０、ＵＳＢ通信装置１５０、および閃光発光装置１６０が備えられている。
【００２２】
ＣＰＵ１００は、このデジタルカメラ１全体を制御する。
【００２３】
画像入力装置１１０は、撮影ズームレンズと、その撮影ズームレンズを経由して結像された被写体像をアナログの画像信号に変換する撮像素子と、その撮像素子からのアナログの画像信号をガンマ補正，白バランス調整等のアナログ信号処理するアナログ信号処理部と、そのアナログ信号処理部で処理されたアナログの画像信号をデジタルの画像信号にＡ／Ｄ変換するＡ／Ｄコンバータとから構成されている。
【００２４】
キー入力装置１２０は、デジタルカメラ１の背面に備えられており、ユーザがこのデジタルカメラ１を使用するときに種々の操作を行なうためのものである。
【００２５】
メモリ１３０は、ＣＰＵ１００でデジタル処理されて生成された画像データを蓄積する。
【００２６】
液晶表示装置１４０は、メモリ１３０に蓄積された画像データに基づく画像やメニュー表示等を行なう。
【００２７】
ＵＳＢ通信装置１５０は、メモリ１３０に蓄積された画像データをパーソナルコンピュータ２に送出したり、その他必要なやり取りを行なう。
【００２８】
閃光発光装置１６０は、撮影にあたり被写界輝度が暗い場合に閃光を発する。
【００２９】
一方、パーソナルコンピュータ２には、図１に示す本体部２１０を構成する、各種プログラムを実行するＣＰＵ２０１、ハードディスク装置２０３に格納されたプログラムが読み出されＣＰＵ２０１での実行のために展開される主メモリ２０２、各種プログラムや画像データ等が保存されたハードディスク装置２０３、フレキシブルディスク２０４＿１が装填され、その装填されたフレキシブルディスク２０４＿１をアクセスするフレキシブルディスクドライブ２０４、ＣＤ−ＲＯＭ２０５＿１をアクセスするＣＤ−ＲＯＭドライブ２０５、デジタルカメラ１と接続され、そのデジタルカメラ１からの画像データを取り込むＵＳＢ通信装置２０６、および前述した図１に示す表示画面２２０ａを備えた画像表示装置２２０，キーボード２３０，マウス２４０が備えられている。これらはバス２１５を介して相互に接続されている。
【００３０】
さらに、パーソナルコンピュータ２は、表示画面２２０ａ上に表示されている複数のマーク（ここでは、複数のマークとして、デジタルカメラ１で撮影した画像ファイルを表わすサムネイル画像の例で説明するが、これら複数のマークは各種のアイコンであってもよい）のうちの１つのマークを指定する単一マーク指定モードと、それら複数のマークのうちの複数のマークを指定する複数マーク指定モードとを有する。
【００３１】
また、パーソナルコンピュータ２には、複数マーク指定モードにおいて表示画面２２０ａ上に表示されているマークのうちのマウス２４０により指定されたマークに相当するマークを、表示画面２２０ａ上のカーソル近傍に並べて表示させるとともにそのカーソルの移動に伴って移動させる表示制御部２１が備えられている。
【００３２】
さらに、パーソナルコンピュータ２には、表示画面２２０ａ上のマークを、マウス２４０の左クリックで指定することによって単一マーク指定モードによるマークの指定であることを認識するとともに、キーボード２３０上の特定のキー（ここではＣｔｒｌキー）を押しながらマウス２４０の左クリックで指定することによって、複数マーク指定モードによるマークの指定であることを認識するモード認識部２２が備えられている。これら表示制御部２１およびモード認識部２２はバス２１５に接続されている。
【００３３】
デジタルカメラ１で撮影されて得られた画像を表わす画像データは、そのデジタルカメラ１の画像入力装置１１０をユーザが操作することにより、ＵＳＢ通信装置１５０からＵＳＢケーブル３００を経由して、パーソナルコンピュータ１のＵＳＢ通信装置２０６に送られ、最終的にハードディスク装置２０３に格納される。ここで、キーボード２３０やマウス２４０を操作して、パーソナルコンピュータ２に予めインストールされている画像用のユーティリティソフトウェアを起動して、そのユーティリティソフトウェアのファイルメニューからプリントコマンドを選択し、そのプリントコマンドにおいて、パーソナルコンピュータ２の表示画面２２０ａ上に、ハードディスク装置２０３に格納された画像データからなる画像ファイルに対応したマークであるサムネイル画像を一覧表示する。
【００３４】
図３は、パーソナルコンピュータの表示画面に一覧表示されたサムネイル画像を示す図である。
【００３５】
図３に示すパーソナルコンピュータ２の表示画面２２０ａには、デジタルカメラ１で撮影された画像ファイルに対応したサムネイル画像が一覧表示されている。尚、各サムネイル画像の下部には、各サムネイル画像に対応する画像ファイル名も表示されているが、図面を簡単にするために図示省略する。
【００３６】
ここでは、表示画面２２０ａに表示可能な数よりも多いｎ個のサムネイル画像２３＿１，２３＿２，…，２３＿ｎが存在しており、この図３に示す表示画面２２０ａには、ｎ個のサムネイル画像２３＿１，２３＿２，…，２３＿ｎのうちの１２個のサムネイル画像２３＿１，２３＿２，…，２３＿１２が表示されている。尚、残りのサムネイル画像２３＿１３，２３＿１４，…，２３＿ｎは、この表示画面２２０ａの下部に存在している。
【００３７】
ここで、キーボード２３０上のＣｔｒｌキーを押しながらマウス２４０をサムネイル画像の上で左クリックする。これにより、図２に示すモード認識部２２で複数マーク指定モードによるサムネイル画像の指定であることが認識される。この複数マーク指定モードでは、図２に示す表示制御部２１により、以下に説明するように、表示画面２２０ａ上に表示されているサムネイル画像のうちのマウス２４０により指定されたサムネイル画像に相当する小画像が、表示画面２２０ａ上のマウスポインタ（カーソル）近傍に並べて表示されるとともにそのマウスポインタの移動に伴って移動する。
【００３８】
図４は、複数マーク指定モードにおいて選択されたサムネイル画像を示す図である。
【００３９】
図４に示すサムネイル画像２３＿１をマウス２４０の左クリックにより指定する。すると、サムネイル画像２３＿１の周囲が色付き枠線で囲まれるとともに、そのサムネイル画像２３＿１に対応する画像ファイル名（図示せず）が反転表示される。このようにして、サムネイル画像２３＿１を選択する。次いで、サムネイル画像２３＿６をマウス２４０の左クリックにより指定し、さらにサムネイル画像２３＿１１をマウス２４０の左クリックにより指定する。これにより、サムネイル画像２３＿６，２３＿１１の周囲も色付き枠線で囲まれるとともに、それらサムネイル画像２３＿６，２３＿１１に対応する画像ファイル名（図示せず）も反転表示される。このようにして、サムネイル画像２３＿６，２３＿１１も選択する。さらに、表示画面２２０ａを下へスクロールしながらサムネイル画像を指定する作業を続ける。
【００４０】
図５は、図４に示す表示画面が下にスクロールされた状態において選択されたサムネイル画像を示す図である。
【００４１】
図５に示すように、表示画面２２０ａが下にスクロールされた結果、選択されたサムネイル画像２３＿１，２３＿６は表示画面２２０ａ外に消え去ってしまい表示されなくなる。尚、スクロールの状態によっては、選択されたサムネイル画像の一部のみ表示される場合もある。ここで、サムネイル画像２３＿１２，２３＿１４，２３＿１６をマウス２４０の左クリックにより順次指定することにより、サムネイル画像２３＿１２，２３＿１４，２３＿１６を選択する。
【００４２】
図６は、表示画面上のマウスポインタ近傍に並べて表示されるとともにそのマウスポインタの移動に伴って移動する小画像を示す図である。
【００４３】
図６に示すように、サムネイル画像２３＿１６上にはマウスポインタ２４０ａが表示されており、このマウスポインタ２４０ａの近傍に、選択されたサムネイル画像２３＿１，２３＿６，２３＿１１，２３＿１２，２３＿１４，２３＿１６の小画像２３＿１ａ，２３＿６ａ，２３＿１１ａ，２３＿１２ａ，２３＿１４ａ，２３＿１６ａが連続して一列に並べて表示されている。尚、ここでは、元のサムネイル画像と区別するために、元のサムネイル画像よりも小さい小画像の例で説明したが、元のサムネイル画像に相当するマークであればよい。また、ここでは、小画像を一列に並べた例で説明したが、スクリーンの領域の制限から一列では表示しきれない場合は、二列、三列と増やして表示してもよい。また、選択されるサムネイル画像の数が増えるに従って、小画像の大きさを小さくしていってもよい。
【００４４】
第１実施形態のパーソナルコンピュータ２では、表示画面２２０ａを下にスクロールした結果、選択されたサムネイル画像２３＿１，２３＿６が表示画面２２０ａ外に消え去ってしまい表示されなった場合であっても、マウスポインタ２４０ａの近傍に、選択されたサムネイル画像の小画像が並べて表示されるため、どのサムネイル画像を選択していたのかが分からなくなったり、あるいは表示画面２２０ａ上の、サムネイル画像以外の部分をうっかりクリックしてしまい、今まで選択されていたサムネイル画像が、選択されていない状態に戻ってしまう場合であっても、マウスポインタ２４０ａの近傍に並べて表示されている小画像で確認することができる。従って、操作性に優れたパーソナルコンピュータ２が提供される。
【００４５】
図７は、第１実施形態であるパーソナルコンピュータの、サムネイル画像を選択するための処理ルーチンのフローチャートである。
【００４６】
前述したように、ファイルメニューからプリントコマンドを選択し、そのプリントコマンドにおいてこの処理ルーチンが実行される。
【００４７】
先ず、ステップＳ１において、サムネイル画像上でマウスがクリックされたか否かが判定される。マウスがクリックされたと判定された場合は、ステップＳ２に進む。
【００４８】
ステップＳ２では、右クリックか否かが判定される。右クリックであると判定された場合は、後述するステップＳ６に進む。一方、右クリックでないと判定された場合、即ち左クリックであると判定された場合はステップＳ３に進む。ステップＳ３では、キーボード上のＣｔｒｌキーが押されているか否かが判定される。Ｃｔｒｌキーが押されていると判定された場合は、複数マーク指定モードであると認識されてステップＳ４に進む。ステップＳ４では、サムネイル画像の表示を選択状態にしてステップＳ５に進む。ステップＳ５では、選択したサムネイル画像の小画像をマウスポインタの近傍に表示してステップＳ１に戻る。
【００４９】
ここで、ステップＳ２において、右クリックであると判定されてステップＳ６に進んだ場合は、そのステップＳ６においてダブル右クリックか否かが判定される。ダブル右クリックであると判定された場合はプリント処理へ進む。一方、ダブル右クリックでないと判定された場合はステップＳ１に戻る。
【００５０】
また、ステップＳ３において、Ｃｔｒｌキーが押されていないと判定された場合は、ステップＳ７に進む。ステップＳ７では、選択されたサムネイル画像があるか否かが判定される。選択されたサムネイル画像があると判定された場合は、ステップＳ８に進む。ステップＳ８では、選択済みサムネイル画像の表示を非選択状態にしてステップＳ９に進む。一方、ステップＳ７において、選択されたサムネイル画像がないと判定された場合は、そのままステップＳ９に進む。ステップＳ９では、クリックされたサムネイル画像の表示を選択状態にしてステップＳ１に戻る。
【００５１】
さらに、前述したステップＳ１において、サムネイル画像上でマウスをクリックしていないと判定された場合はステップＳ１０に進む。ステップＳ１０では、サムネイル画像上でのクリック以外の操作がなされたか否かが判定される。サムネイル画像上でのクリック以外の操作がなされていないと判定された場合はステップＳ１に戻る。一方、サムネイル画像上でのクリック以外の操作がなされたと判定された場合はステップＳ１１に進む。
【００５２】
ステップＳ１１では、選択されたサムネイル画像があるか否かが判定される。選択されたサムネイル画像がないと判定された場合はプリントコマンドから抜ける。一方、選択されたサムネイル画像があると判定された場合はステップＳ１２に進む。
【００５３】
ステップＳ１２では、キーボード上でＣｔｒｌ＋Ｚキーが押されたか否かが判定される。Ｃｔｒｌ＋Ｚキーが押されたと判定された場合は、ステップＳ１３に進む。ステップＳ１３では、直前のサムネイル画像の選択動作を取り消してステップＳ１に戻る。一方、ステップＳ１２において、Ｃｔｒｌ＋Ｚキーが押されていないと判定された場合はステップＳ１４に進む。
【００５４】
ステップＳ１４では、キーボード上でＥＳＣキーが押されたか否かが判定される。ＥＳＣキーが押されたと判定された場合は、プリントコマンドから抜ける。一方、ＥＳＣキーが押されていないと判定された場合はステップＳ１に戻る。
【００５５】
図８は、本発明の情報処理装置の第２実施形態であるパーソナルコンピュータの概略回路ブロックを示す図である。
【００５６】
尚、このパーソナルコンピュータ３の概観図は、図１に示すパーソナルコンピュータ２の概観図と同じであるため図示省略する。
【００５７】
図８に示すパーソナルコンピュータ３は、図２に示すパーソナルコンピュータ２と比較し、モード認識部２２がモード認識部３２に置き換えられている点が異なっている。図８に示すモード認識部３２は、単一マーク指定モードにあるときの、マウス２４０の右クリックにより、複数マーク指定モードへの切り替えを認識するものである。このため、さらに操作性が高められている。また、ここでは、複数マーク指定モードにおいて指定されるマークとして、アイコンの例で説明する。
【００５８】
最初の時点では、単一マーク指定モードにある。ここで、マウス２４０を右クリックする。すると、モード認識部３２で複数マーク指定モードによるアイコンの指定であることが認識される。この複数マーク指定モードでは、以下に説明するように、表示画面２２０ａ上に表示されているアイコンのうちのマウス２４０により指定されたアイコンに相当する小画像が、表示画面２２０ａ上のマウスポインタ近傍に並べて表示されるとともにそのマウスポインタの移動に伴って移動する。
【００５９】
図９は、図８に示すパーソナルコンピュータの、アイコンを選択するための処理ルーチンのフローチャートである。
【００６０】
ファイルメニューからプリントコマンドを選択し、そのプリントコマンドにおいてこの処理ルーチンが実行される。
【００６１】
先ず、ステップＳ２１において、アイコン上でマウスがクリックされたか否かが判定される。マウスがクリックされたと判定された場合は、ステップＳ２２に進む。
【００６２】
ステップＳ２２では、右クリックか否かが判定される。右クリックでないと判定された場合、即ち左クリックであると判定された場合は、後述するステップＳ２６に進む。一方、右クリックであると判定された場合はステップＳ２３に進む。
【００６３】
ステップＳ２３では、ダブル右クリックか否かが判定される。ダブル右クリックであると判定された場合はプリント処理へ進む。一方、ダブル右クリックでないと判定された場合は、複数マーク指定モードであると認識されてステップＳ２４に進む。ステップＳ２４では、アイコンの表示を選択状態にしてステップＳ２５に進む。ステップＳ２５では、選択したアイコンを表わす小画像をカーソル（マウスポインタ）近傍に追加表示してステップＳ２１に戻る。
【００６４】
また、ステップＳ２２において、左クリックであると判定されてステップＳ２６に進んだ場合は、そのステップＳ２６において、選択されたアイコンがあるか否かが判定される。選択されたアイコンがあると判定された場合は、ステップＳ２７に進む。ステップＳ２７では、選択済みアイコンの表示を非選択状態にしてステップＳ２８に進む。一方、ステップＳ２６において、選択されたアイコンがないと判定された場合は、そのままステップＳ２８に進む。ステップＳ２８では、クリックされたアイコンの表示を選択状態にしてステップＳ２１に戻る。
【００６５】
また、前述したステップＳ２１において、アイコン上でマウスをクリックしていないと判定された場合はステップＳ２９に進む。ステップＳ２９では、アイコン上でのクリック以外の操作がなされたか否かが判定される。アイコン上でのクリック以外の操作がなされていないと判定された場合はステップＳ２１に戻る。一方、アイコン上でのクリック以外の操作がなされたと判定された場合はステップＳ３０に進む。
【００６６】
ステップＳ３０では、選択されたアイコンがあるか否かが判定される。選択されたアイコンがないと判定された場合はプリントコマンドから抜ける。一方、選択されたアイコンがあると判定された場合はステップＳ３１に進む。
【００６７】
ステップＳ３１では、キーボード上でＣｔｒｌ＋Ｚキーが押されたか否かが判定される。Ｃｔｒｌ＋Ｚキーが押されたと判定された場合は、ステップＳ３２に進む。ステップＳ３２では、直前のサムネイル画像の選択動作を取り消してステップＳ２１に戻る。一方、ステップＳ３１において、Ｃｔｒｌ＋Ｚキーが押されていないと判定された場合はステップＳ３３に進む。
【００６８】
ステップＳ３３では、キーボード上でＥＳＣキーが押されたか否かが判定される。ＥＳＣキーが押されたと判定された場合は、プリントコマンドから抜ける。一方、ＥＳＣキーが押されていないと判定された場合はステップＳ２１に戻る。
【００６９】
第２実施形態のパーソナルコンピュータ３では、表示画面２２０ａを下にスクロールした結果、選択されたアイコンが表示画面２２０ａ外に消え去ってしまい表示されなった場合であっても、マウスポインタ２４０ａの近傍に、選択されたアイコンの小画像が並べて表示されるため、どのアイコンを選択していたのかが分からなくなったり、あるいは表示画面２２０ａ上の、アイコン以外の部分をうっかりクリックしてしまい、今まで選択されていたアイコンが、選択されていない状態に戻ってしまった場合であっても、マウスポインタ２４０ａの近傍に並べて表示されているアイコンの小画像で確認することができる。また、マウス２４０の右クリックにより、単一マーク指定モードから複数マーク指定モードに簡単に切り替えることができる。従って、さらに操作性に優れたパーソナルコンピュータ３が提供される。
【００７０】
尚、第１，第２実施形態では、ポインティングデバイスとしてマウスの例で説明したが、マウスに限られるものではなく、タブレット，トラック・ボール，ライトペン，タッチパネル等のポインティングデバイスであってもよい。
【００７１】
また、第１，第２実施形態では、表示画面上に表示される画像ファイルに対応したサムネイル画像,アイコンの例で説明したが、これに限られるものではなく、本発明は、表示画面上に表示されるファイルに対応したマークであればよい。
【図面の簡単な説明】
【００７２】
【図１】本発明の情報処理装置の第１実施形態であるパーソナルコンピュータがＵＳＢケーブルでデジタルカメラに接続される様子を示す図である。
【図２】図１に示すデジタルカメラおよびパーソナルコンピュータ双方の概略回路ブロックを示す図である。
【図３】パーソナルコンピュータの表示画面に一覧表示されたサムネイル画像を示す図である。
【図４】複数マーク指定モードにおいて選択されたサムネイル画像を示す図である。
【図５】図４に示す表示画面が下にスクロールされた状態において選択されたサムネイル画像を示す図である。
【図６】表示画面上のマウスポインタ近傍に並べて表示されるとともにそのマウスポインタの移動に伴って移動する小画像を示す図である。
【図７】第１実施形態であるパーソナルコンピュータの、サムネイル画像を選択するための処理ルーチンのフローチャートである。
【図８】本発明の情報処理装置の第２実施形態であるパーソナルコンピュータの概略回路ブロックを示す図である。
【図９】図８に示すパーソナルコンピュータの、アイコンを選択するための処理ルーチンのフローチャートである。
【符号の説明】
【００７３】
１  デジタルカメラ
２，３  パーソナルコンピュータ
２１  表示制御部
２２，３２  モード認識部
２３＿１，…，２３＿１２，２３＿１４，２３＿１６  サムネイル画像
２３＿１ａ，２３＿６ａ，２３＿１１ａ，２３＿１２ａ，２３＿１４ａ，２３＿１６ａ  小画像
１００，２０１  ＣＰＵ
１１０  画像入力装置
１２０  キー入力装置
１３０  メモリ
１４０  液晶表示装置
１５０，２０６  ＵＳＢ通信装置
１６０  閃光発光装置
１７０，２１４  ＵＳＢ接続部
２０２  主メモリ
２０３  ハードディスク装置
２０４  フレキシブルディスクドライブ
２０４＿１  フレキシブルディスク
２０５  ＣＤ−ＲＯＭドライブ
２０５＿１  ＣＤ−ＲＯＭ
２１０  本体部
２１１  ＣＤ−ＲＯＭ装填口
２１２  フレキシブルディスク装填口
２１３  電源スイッチ
２１５  バス
２２０  画像表示装置
２２０ａ  表示画面
２３０  キーボード
２４０  マウス
２４０ａ  マウスポインタ
３００  ＵＳＢケーブル
３０１，３０２  ＵＳＢコネクタ
【図１】
2007183716.tif 000003
【図２】
2007183716.tif 000004
【図３】
2007183716.tif 000005
【図４】
2007183716.tif 000006
【図５】
2007183716.tif 000007
【図６】
2007183716.tif 000008
【図７】
2007183716.tif 000009
【図８】
2007183716.tif 000010
【図９】
2007183716.tif 000011